(57)【要約】【課題】係止手段が取付けられた透光性カバーが破損した場合であっても、カバー破片の飛散や破損状態のカバーの垂れ下がりを抑制し、安全性を高めることができる照明器具を提供することを目的とする。【解決手段】本発明は、光源５を収納し、開口部２ａを有する器具本体２と、開口部２ａに配設され、その表面に保護被膜７が形成されたガラス製の透光性カバー３と、この透光性カバー３に取付けられ、器具本体開口部２ａへの配設状態を保持する係止手段１０と、透光性カバーの周縁に沿って設けられた補強手段８とを具備する照明器具１である。【選択図】図１
2008311062.tif 000002
【特許請求の範囲】
【請求項１】
光源を収納し、開口部を有する器具本体と；  開口部に配設され、その表面に保護被膜が形成されたガラス製の透光性カバーと；  この透光性カバーに取付けられ、器具本体開口部への配設状態を保持する係止手段と；透光性カバーの周縁に沿って設けられた補強手段と；を具備することを特徴とする照明器具。
【請求項２】
補強手段は、断面略コ字状をなし、透光性カバーの端縁を覆うように取付けられていることを特徴とする請求項１に記載の照明器具。
【請求項３】
透光性カバーは、器具本体の開口部に係止手段によって配設されるように構成されており、補強手段は透光性カバーにおける係止手段の非取付け位置に設けられていることを特徴とする請求項１又は請求項２に記載の照明器具。
【請求項４】
透光性カバーは、器具本体の開口部に係止手段によって配設されるように構成されており、補強手段は透光性カバーにおける係止手段の取付け位置に設けられていることを特徴とする請求項１又は請求項２に記載の照明器具。
【請求項５】
補強手段は、シート状部材で構成されていることを特徴とする請求項１乃至請求項４のいずれか一に記載の照明器具。
【発明の詳細な説明】
【技術分野】
【０００１】
本発明は、ガラス製の透光性カバーを有する照明器具に関する。
【背景技術】
【０００２】
従来、例えば、トンネル用の照明器具においては、器具本体に光源を収納し、この器具本体に蓋体を配設して防水、防塵のために密閉構造を採っていた。また、蓋体には投光開口を形成し、この投光開口に透光性カバーを固着していた。そして、外部からの衝撃や振動等で、透光性カバーが破損してしまった場合であっても、周囲にカバーの破片が飛散するのを防止するため、カバー内面に保護被膜を接着していた（特許文献１参照）。    
【特許文献１】特開２００５−１６６６２８号公報
【発明の開示】
【発明が解決しようとする課題】
【０００３】
しかしながら、透光性カバーが破損してしまった場合、カバー破片の重量でカバー破片が保護被膜とともに垂れ下がり、振動、風圧等で保護被膜が破れ、それが落下してしまう危険性やカバー破片が保護被膜から剥離し、破片が飛散する不具合が発生する可能性がある。
【０００４】
近時、部品点数の減少、コストダウン等を目的に、この種、照明器具において、全面が透光性カバーのものが開発されているが、この場合、透光性カバーに係止手段が部分的に取付けられているので、係止手段ではカバー全体を支えきれず、前述の不具合が発生する可能性は一層高まることとなる。
【０００５】
そこで、本発明は、上記事情に鑑みなされたもので、係止手段が取付けられた透光性カバーが破損した場合であっても、カバー破片の飛散や破損状態のカバーの垂れ下がりを抑制し、安全性を高めることができる照明器具を提供することを目的とする。
【課題を解決するための手段】
【０００６】
請求項１に記載の照明器具は、光源を収納し、開口部を有する器具本体と、開口部に配設され、その表面に保護被膜が形成されたガラス製の透光性カバーと、この透光性カバーに取付けられ、器具本体開口部への配設状態を保持する係止手段と、透光性カバーの周縁に沿って設けられた補強手段とを具備することを特徴とする。
【０００７】
光源は、例えば、蛍光ランプ、メタルハラルドランプや高圧ナトリウムランプ等の高圧放電ランプ、無電極放電ランプのような放電ランプ、ハロゲンランプのような白熱電球やＬＥＤ等の固体発光素子等、いずれでも適用できる。
【０００８】
係止手段は、例えば、ラッチ及びヒンジのような透光性カバーに取付けられた保持具を含む概念である。
【０００９】
保護被膜は、透光性カバーの内面に形成することが好ましいが、外面に形成してもよく、また、両面に形成してもよい。
【００１０】
透光性カバーの表面に保護被膜を形成するための接着剤は、透光性カバーと保護被膜の間の全面に介在していても、部分的に介在していてもよい。
【００１１】
透光性カバーの周縁とは、透光性カバーの外周の末端縁のみならず、その近傍を含む意味である。また、周縁に沿ってとは、全周でも、部分的でもよいことを意味する。
【００１２】
補強手段は、透光性カバーが破損した場合、変形し易くなったカバーの垂れ下がりを減少できる機能を果たすものであり、その材質、形状等には限定されない。
【００１３】
請求項２に記載の照明器具は、請求項１に記載の照明器具において、補強手段は、断面略コ字状をなし、透光性カバーの端縁を覆うように取付けられていることを特徴とする。
【００１４】
請求項３に記載の照明器具は、請求項１又は請求項２に記載の照明器具において、透光性カバーは、器具本体の開口部に係止手段によって配設されるように構成されており、補強手段は透光性カバーにおける係止手段の非取付け位置に設けられていることを特徴とする。
【００１５】
「係止手段の非取付け位置に設けられている」とは、透光性カバーの係止手段が取付けられていない部位に補強手段を設けることを意味する。
【００１６】
請求項４に記載の照明器具は、請求項１又は請求項２に記載の照明器具において、透光性カバーは、器具本体の開口部に係止手段によって配設されるように構成されており、補強手段は透光性カバーにおける係止手段の取付け位置に設けられていることを特徴とする。
【００１７】
請求項５に記載の照明器具は、請求項１乃至請求項４のいずれか一に記載の照明器具において、補強手段は、シート状部材で構成されていることを特徴とする。
【００１８】
シート状部材とは、カバーの過度の変形を抑制する程度に強度を有する部材であって、保護被膜と同一又は同質材料を含み、また、粘着テープ、フィルムのような薄板状のもの含んでいる。
【発明の効果】
【００１９】
本発明は、ガラス製の透光性カバーに係止手段を取付けた形態を採用したものにおいて、透光性カバーが破損した場合であっても、カバー破片が飛散することなく、また、破損状態のカバーの垂れ下がりを抑制し、安全性を高めることができる照明器具を提供することができる。
【発明を実施するための最良の形態】
【００２０】
以下、本発明の一実施の形態を、図面を参照して説明する。  図１乃至図４は、第１の実施形態を示し、図１は照明器具の斜視図、図２は同正面図、図３は補強手段を示す斜視図、図４は図２のＡ−Ａ線に沿う断面図である。
【００２１】
まず、図１乃至図４において、照明器具１は、例えば、トンネルの側壁面や天井面に設置されるトンネル用照明器具である。照明器具１は、器具本体２と透光性カバー３とで構成される密閉容器４内に、光源として蛍光ランプ５（以下、図５、図１１、図１３、図１４及び図１６において、図示を省略する。）、この蛍光ランプ５と対向してその光を反射させる反射体、蛍光ランプ５を点灯させる点灯装置等が収納されている。
【００２２】
器具本体２は、ステンレス製であり、正面全体が開口されて長方形状の開口部２ａが形成され、また、この開口部２ａの反対側の外面には、照明器具１設置用の取付脚６が設けられている。
【００２３】
透光性カバー３は、厚さが４〜５ｍｍの全面強化ガラス製であり、器具本体２の開口部２ａを閉塞可能とするように開口部２ａと同形状とする長方形板状に形成されている。
【００２４】
また、透光性カバー３の内面には、飛散防止膜である保護被膜としての保護フィルム７が図示しない接着層を介して接着されている。保護フィルム７は、例えば、フッ素系樹脂製の透光性フィルムからなり、耐熱温度が１２０℃以上の耐熱性を有している。接着層についても同等の耐熱性を有している。保護フィルム７の接着層も含めた厚みは８０μｍ以上であり、好ましくは、保護フィルム７の厚みが１００μｍ程度、接着層の厚みが３０〜５０μｍである。保護フィルム７の端部は、透光性カバー３の端部の位置を合わせて切断されている。
【００２５】
透光性カバー３は、係止手段１０によって器具本体２に開閉可能、かつ開口部２ａの閉塞状態で係止可能として配設されている。この係止手段１０は、４箇所設けられており透光性カバー３の長辺の一側を回動可能に連結する２箇所のヒンジ１０ａと、開口部２ａを閉塞した透光性カバー３の長辺の他側を器具本体２に係止する２箇所のラッチ１０ｂとから構成されている。
【００２６】
次に、透光性カバー３の周縁には、この周縁に沿って補強手段８が設けられている。具体的には、この補強手段８は、金属製又は合成樹脂製であり、透光性カバー３の両短辺側、すなわち、係止手段１０が取付けられていない側辺部に設けられており、図３及び図４に示すように断面コ字状をなしている。さらに、補強手段８の両端部８´は、透光性カバー３のコーナー部３ｂと合致するように弧状をなしている。
【００２７】
そして、補強手段８は、このコ字状の形態により透光性カバー３の端縁３ａを覆うように取付けられており、また、補強手段８は、透光性カバー３のコーナー部３ｂを含んで覆うように構成されている。したがって、補強手段８の取付けに際し、位置決めが容易であり、取付け作業がし易い効果がある。
【００２８】
さらに、補強手段８について、図４を参照して詳細に説明すると、まず、器具本体２の開口部２ａを形成する周面部２ｂには、外側に向けて折曲された段部２ｃが形成されている。この段部２ｃは、周面部２ｂの全周にわたって環状に形成されており、また、段部２ｃには、環状のシリコーン樹脂製のパッキン９が接着剤により接着されている。
【００２９】
透光性カバー３内面には前述の保護フィルム７が接着されており、断面コ字状の補強手段８は、この保護フィルム７が接着された透光性カバー３の端縁３ａを覆うように、シリコーン樹脂製のパッキンを介して接着剤により取付けられている。
【００３０】
以上の構成により、透光性カバー３は、パッキン９を介して器具本体２の段部２ｃに受けられ、器具本体２の開口部２ａを係止手段１０によって閉塞状態とされる。
【００３１】
次に、本実施形態の作用を説明する。照明器具１は、取付脚６のねじ孔を利用してトンネル内壁に設けられたステー等の取付け装置にねじ止めすることによって、天井面や約４５度の角度でトンネル側壁面に固定される。
【００３２】
ところで、照明器具1の実際の使用場面において、車の走行中の飛び石等の衝撃により、予期せず透光性カバー３が破損してしまうことがある。この場合、透光性カバー３は、強化ガラス処理が施されているために多数の小片が形成されるように細かなひびがほぼ全面にわたって形成されるが、保護フィルム７が接着されているため、破片が飛散することがほとんどない。
【００３３】
しかし、破損によって透光性カバー３は、保護フィルム７の可撓性に追随するように変形し易くなり、４箇所の係止手段１０による係止構造では透光性カバー３の変形を許容してしまうので、自重でカバー破片が保護フィルム７とともにたるみ、垂れ下ってしまう。このとき、振動、風圧等が加わると、保護フィルム７が破れ、それが落下してしまう危険性やカバー３の破片が保護フィルム７から剥離し、破片が飛散する不具合が生じる。
【００３４】
しかしながら、本実施形態では、補強手段８が透光性カバー３における係止手段１
０の非取付け位置側（両短辺側）に設けられているため、例え、透光性カバー３が破損したとしても、補強手段８がカバー３の変形を抑制するように作用するので、垂れ下がりを減少することができる。
【００３５】
以上のように本実施形態によれば、透光性カバーが破損した場合であっても、カバー破片の垂れ下がりを抑制し、安全性を高めることができる照明器具を提供することができる。
【００３６】
次に、本発明の第２の実施形態について図５乃至図１０を参照して説明する。図５乃至図１０は補強手段の他の実施例を示すもので、図５は、照明器具を示す正面図、図６乃至図１０は、補強手段の一部を取出して示す斜視図である。なお、第１の実施形態と同一又は相当部分には同一符号を付し、重複した説明は省略する。
【００３７】
（実施例１）図５に実施例１を示す。本実施例では、補強手段８ａの態様が第１の実施形態のものとは異なる。この補強手段８ａは、断面コ字状ではあるが、透光性カバー３のコーナー部３ｂ略全てを含んで覆うように構成されている。したがって、補強手段８ａの取付けに際し、位置決め、取付け作業が容易であるとともに、強固に取着できる効果が期待できる。
【００３８】
(実施例２)図６に実施例２を示す。本実施例では、実施例１と同様に透光性カバー３の両短辺側に金属製又は合成樹脂製の補強手段８ｂを設けるものであるが、補強手段８ｂは、平板状に形成され、透光性カバー３の外面に接着されている。
【００３９】
本実施例においても、破損したカバーの垂れ下がりを減少し得る。なお、補強手段８ｂの内側縁８ｂａは、弧状又は傾斜状に処理されている。これは、この種、照明器具においては、屋外で使用されるため、定期的に透光性カバーの汚れを落とす等、掃除をする必要性があり、掃除の際に掃除具が補強手段に引っ掛からないようにするためである。
【００４０】
(実施例３)図７に実施例３を示す。同じく本実施例においても、平板状の補強手段８ｃを透光性カバー３の外面に接着するものである。本実施例においては、補強手段８ｃを透光性カバー３の末端縁ではなく、内側寄りに設けたものである。このような構成であっても上述と同様な効果を奏することができる。
【００４１】
(実施例４)図８に実施例４を示す。本実施例では、平板状の補強手段８ｄを透光性カバー３の内面に接着するものである。本実施例によっても、破損したカバーの垂れ下がりを減少し得、所期の効果を期待できる。
【００４２】
(実施例５) 図９に実施例５を示す。本実施例においては、補強手段８ｅを断面Ｌ字状に形成したものである。本実施例においても、所期の効果に加え、補強手段８ｅの取付けにおける位置決めのし易さ、作業の容易性等の効果を奏することができる。
【００４３】
(実施例６) 図１０に実施例６を示す。本実施例では、透光性カバー３の端縁を覆うように補強手段８ｆが取付けられるが、補強手段８ｆは、カバー３の過度の変形を抑制する程度に強度を有するシート状部材を予定している。具体的には、透光性カバー３に接着される保護フィルム７と同一又は同質の部材、粘着テープ等のテープ状の部材、フィルム状の部材が適用可能である。これらの部材の場合も、薄い部材でありながら透光性カバー３の垂れ下がりを軽減し得る。
【００４４】
なお、本実施例の場合、補強手段８ｆはシート状であるがゆえ、掃除の際に掃除具が補強手段に引っ掛かるという問題を併せて改善できる。
【００４５】
次に、本発明の第３の実施形態について図１１乃至図１２を参照して説明する。図１１は照明器具の正面図、図１２は図１１のＢ−Ｂ線に沿う断面図である。なお、第１の実施形態と同一又は相当部分には同一符号を付し、重複した説明は省略する。
【００４６】
本実施形態においては、補強手段８ｇを係止手段１０である一対のヒンジ１０ａ間と、一対のラッチ１０ｂ間を連絡するように設けたものである。これら補強手段８ｇは、ヒンジ１０ａ及びラッチ１０ｂと一体的であるが、別体に構成することも許容する。
【００４７】
図１２に示すラッチ１０ｂにおいて、透光性カバー３に引掛金具１０ｂａがねじ止め固定される。まず、内面に保護フィルム７が形成された透光性カバー３の外面にパッキン１０ｂｂを介して引掛金具１０ｂａが配置される。そして、透光性カバー３の内面にパッキン１０ｂｃを介して押え板１０ｂｄが配置され、取付ねじ１０ｂｅが引掛金具１０ｂａ、パッキン１０ｂｂ、透光性カバー３、パッキン１０ｂｃ、押え板１０ｂｄに挿通され、取付ねじ１０ｂｅの先端にナット１０ｂｆが螺合されて締め付けることにより固定される。
【００４８】
このとき、透光性カバー３内面に接着された保護フィルム７も共に締め付け固定され、さらに、引掛金具１０ｂａと一体的に形成された補強手段８ｇも共に取付けられることとなる。加えて、補強手段８は、透光性カバー３に接着剤で接着してもよい。
【００４９】
係止操作は、ラッチ金具１０ｂｇを引掛金具１０ｂａに引っ掛けることにより、透光性カバー３を器具本体２に引き寄せて係止する。
【００５０】
なお、透光性カバー３へのヒンジ１０ａ、これと一体的な補強手段８ｇも同様な取付構造となっている。
【００５１】
本実施形態においては、ラッチ１０ｂ又はヒンジ１０ａと補強手段８ｇが一体的であるため、部品点数の増加を来たさず、補強手段８ｇの取付けもラッチ１０ｂ又はヒンジ１０ａの取付けと同時に行うことができる。
【００５２】
また、補強手段を係止手段であるラッチ、ヒンジと別体に構成した場合であっても、補強手段の取付けをラッチ又はヒンジの取付けと同時に行うことができる利点がある。
【００５３】
さらにまた、本実施形態では、補強手段を透光性カバーの外面に設けたものについて説明したが、内面に設けてもよく、すなわち、両面に設けるようにしてもよい。
【００５４】
以上のように本実施形態は、補強手段を透光性カバーにおける係止手段の取付け位置に設けたものである。この場合も、前述の所期の効果に加え、補強手段の取付けが有利となる効果がある。
【００５５】
次に、本発明の第４の実施形態について図１３を参照して説明する。図１３は同様に照明器具の正面図である。
【００５６】
本実施形態では、補強手段８ｈを係止手段である一対のヒンジ１０ａ間と、一対のラッチ１０ｂ間を連絡するとともに、さらに透光性カバー３の外周の末端縁まで延長したものである。この形態においても、第３の実施形態と同様な効果を期待できるものである。
【００５７】
次に、本発明の第５の実施形態について図１４及び１５を参照して説明する。図１４は照明器具の正面図、図１５は図１４のＡ−Ａ線に沿う透光性カバーの断面図である。
【００５８】
本実施形態は、係止手段１０と別体の補強手段８ｉを透光性カバー３における係止手段１０の取付け位置側に設けたものである。また、図１５に示すように、補強手段８ｉの両端部は内側に折曲して透光性カバー３に接着している。これにより、取付けが確実となる効果を奏する。
【００５９】
次に、本発明の第６の実施形態について図１６を参照して説明する。図１６は同様に照明器具の正面図である。
【００６０】
本実施形態の照明器具は大形の横長タイプであり、一対のヒンジ１０ａ、一対のラッチ１０ｂにおける各外側の２組を連絡するように補強手段８ｊを設けたものである。本実施形態においても、所期の効果を達成し得る。
【００６１】
以上のように透光性カバーにおける補強手段の配置、形状等、種々組み合わせ、変更が可能であり、また、補強手段は、透光性カバーにおける係止手段の取付け位置及び非取付け位置の双方に設けることを妨げないものであり、また、トンネル用の照明器具に限らず、主に屋外用の照明器具に適用可能であり、本発明は、上述の実施形態に限定されるものではない。
【図面の簡単な説明】
【００６２】
【図１】本発明の第１の実施形態を示す照明器具の斜視図である。
【図２】同照明器具の正面図である。
【図３】同補強手段の斜視図である。
【図４】図２のＡ−Ａ線に沿う断面図である。
【図５】本発明の第２の実施形態を示す照明器具の正面図である（補強手段の実施例１）。
【図６】同補強手段の部分斜視図である（補強手段の実施例２）。
【図７】同補強手段の部分斜視図である（補強手段の実施例３）。
【図８】同補強手段の部分斜視図である（補強手段の実施例４）。
【図９】同補強手段の部分斜視図である（補強手段の実施例５）。
【図１０】同補強手段の部分斜視図である（補強手段の実施例６）。
【図１１】本発明の第３の実施形態を示す照明器具の正面図である。
【図１２】図１１のＢ−Ｂ線に沿う断面図である。
【図１３】本発明の第４の実施形態を示す照明器具の正面図である。
【図１４】本発明の第５の実施形態を示す照明器具の正面図である。
【図１５】図１４のＡ−Ａ線に沿う断面図である。
【図１６】本発明の第６の実施形態を示す照明器具の正面図である。
【符号の説明】
【００６３】
１    照明器具
２    器具本体
２ａ  開口部
３    透光性カバー
５    光源
７    保護被膜
８    補強手段
１０  係止手段
【図１】
2008311062.tif 000003
【図２】
2008311062.tif 000004
【図３】
2008311062.tif 000005
【図４】
2008311062.tif 000006
【図５】
2008311062.tif 000007
【図６】
2008311062.tif 000008
【図７】
2008311062.tif 000009
【図８】
2008311062.tif 000010
【図９】
2008311062.tif 000011
【図１０】
2008311062.tif 000012
【図１１】
2008311062.tif 000013
【図１２】
2008311062.tif 000014
【図１３】
2008311062.tif 000015
【図１４】
2008311062.tif 000016
【図１５】
2008311062.tif 000017
【図１６】
2008311062.tif 000018